【事件の表示】
　特願２００１−３８７２０８「インクジェットインクプリントの耐光性を改善するべく調合された無色トナー」拒絶査定不服審判事件〔平成１４年　９月１１日出願公開、特開２００２−２５８５２５〕について、次のとおり審決する。
【結　論】
　本件審判の請求は、成り立たない。
【理　由】
１．手続の経緯・本願発明 
　本願は、平成１３年１２月２０日（パリ条約による優先権主張２０００年１２月２０日、アメリカ合衆国）に出願され、その特許請求の範囲に係る発明は、平成１７年５月１６日提出の手続補正書によって補正された明細書の特許請求の範囲の請求項１乃至１６に記載されたとおりのものであり、そのうち請求項１に係る発明は次のとおりのものと認める。 
　
　「【請求項１】　トナー樹脂と紫外線吸収体類、遊離基抑制剤類及び熱安定化剤類から成る群から独立して選択される少なくとも２つの添加剤とを含んで成り、前記トナー樹脂の前記添加剤に対する重量比が１：１から９９：１である、インクジェットプリント上に無色オーバーコーティングを提供するためのトナー組成物。」
　
２．引用文献に記載された発明 
　原査定の拒絶の理由に引用された、本願の出願日前に頒布されたことが明らかな特開平１１−７０６４７号公報（引用文献１）、特開昭６２−５９０７６号公報（引用文献３）及び特開平９−１９７７５３号公報（引用文献５）には、以下の事項が記載されている。 
　
　引用文献１
(1a)「ａ）液体インクを用いて基体上に画像層を適用して、画像形成された要素を作成すること、
ｂ）画像形成された要素を所定の極性に帯電させるか、もしくは当該要素の表面全体に電圧をかけ、これを当該要素の後にある導電性面に引きつけられること、
ｃ）無色の帯電した粒子を当該要素に適用し、当該画像層の表面に静電的に誘引させること、そして
ｄ）前記粒子を加熱融着して、前記画像層の表面全体を覆う保護オーバーコートを得ることを含んでなる、印刷画像上にオーバーコートを形成する方法。」（特許請求の範囲）
(1b)「【発明の属する技術分野】本発明は、市場における色々なプリントエンジン、例えば、インクジェットプリンター、オフセット印刷機等によって作成される印刷要素上に静電的に適用する保護オーバーコートを提供する方法に関する。」（【０００１】）
(1c)　オーバーコートの形成には、無色トナーが使用されること（【００１７】）。
(1d)　具体例の１つとして、色素系インクを用いてインクジェットプリンターにより、普通紙上に画像形成したものを使用し（【００２２】Ｅ−６）、その画像上に、ポリエステルトナーＫａｏ　Ｐを用いて静電的に被覆し、熱定着して保護コーティングを形成したこと（【００２３】）。
(1e)　保護コーティングを設けた画像は、設けていない画像に比較して、耐摩耗性、耐水性に優れたものであったこと（【００２５】〜【００２９】）。
　
　引用文献３
(3a)「（１）基材と該基材上に剥離可能に設けられた多層構造の転写層とを有して成る保護部材において、該転写層が少くとも蛍光増白剤、紫外線吸収剤、及び光安定化剤を含有して成ることを特徴とする保護部材。
（２）該転写層が紫外線吸収剤と光安定化剤を含む層と、蛍光増白剤を含む層の２つの層を有して成る特許請求の範囲第１項記載の保護部材。
（３）蛍光増白剤を含む層が基板に隣接もしくは近接して成る特許請求の範囲第２項記載の保護部材。
（４）該転写層が紫外線吸収剤を含む層と、光安定化剤を含む層と、蛍光増白剤を含む層の３つの層を有して成る特許請求の範囲第１項記載の保護部材。
（５）蛍光増白剤を含む層が基板に隣接もしくは近接し、光安定化剤を含む層が基板から最も離れて位置して成る特許請求の範囲第４項記載の保護部材。」（特許請求の範囲）
(3b)「本発明は、記録液を用いた記録法、なかでもインクジェット記録法により紙などに画像を記録して形成した印画物（プリント）のラミネート処理用部材として好適な保護部材に関する。」（第１頁右下欄第６〜９行）
(3c)「本発明は、上記のような問題点に鑑みなされたものであり、基材上に設けられたラミネート用樹脂層からなる転写層を記録画像上に転写、積層して、記録画像に前述したような、例えば耐水性、耐光性あるいは光沢等を付与するための記録画像のラミネート処理に用いる保護部材の転写層中に紫外線吸収剤と光安定化剤と蛍光増白剤とを含有させておくことにより、プリントに前述した種々の特性、特に十分な耐光性を付与し、かつ記録画像の鮮明性や品位を良好なものとすることが可能であることを見い出し完成されたものである。
　本発明の目的は、記録液を用いて形成したプリントの記録画像に、耐水性、耐摩耗性、耐溶剤性等とともに、良好な耐光性を簡易に付与することのできる樹脂による画像のラミネート処理に用いるのに好適な保護部材を提供することにある。」（第２頁右上欄第１４行〜同頁左下欄第９行）
(3d)「転写層１は、上記のように基材２に担持された状態で、ラミネート処理しようとする記録画像上を直接覆うことができるようにプリントに積層され、圧着及び／または融着等の処理により、記録画像面上に貼着され、そこに残留し、記録画像の保護層としで機能する。なお、基材２は、転写層が記録画像上に貼着された後に、転写層から剥離され、従って上記のように記録画像上には転写層１のみが記録画像の保護層として残される。」（第３頁左上欄第１６行〜右上欄第４行）
(3e)「転写層１の各層には、ワックス類、可塑剤、粘着性付与剤、酸化防止剤等の種々の添加剤が添加されていても良い。」（第３頁左下欄第１２〜１４行）
(3f)「光安定化剤を含む層は、記録画像をラジカル等から保護する目的のため、転写後被記録材の表面に接するように基材１から最も離れた位置に設けられることが望ましい。」（第５頁左下欄第５〜８行）
(3g)　ＰＥＴフィルム上に、アクリル樹脂、蛍光増泊剤、溶剤よりなる塗液を塗布して塗膜を形成し、その上にアクリル樹脂、紫外線吸収剤、光安定化剤、溶剤よりなる塗液を塗布して塗膜を形成することにより、保護部材を得たこと（第５頁右下欄第１５行〜第６頁右上欄第１行）
(3h)　得られた保護部材を用いて、インクジェットプリンターによりインクジェット記録紙にベタ印字した表面を覆うようにラミネートして後、ＰＥＴフィルムを除去することでサンプルとしたこと（第６頁右上欄第２〜９行）
(3i)　ラミネートを施したものは、施していないものに比べて、画像の耐光性が格段に改善されたこと（第７頁右上欄第７行〜右下欄・表１）
(3j)　紫外線吸収剤の例示中、５−tert−ブチル−３−（５−クロロ−２Ｈ−ベンゾトリアゾール−２−ｙｌ）−４−ヒドロキシベンゼンプロピオニックアシッドオクチルエステル（第４頁左上欄第２０行〜右上欄第３行）
(3k)　光安定化剤（ラジカル補足剤）の例示中、ビス（１，２，２，６，６−ペンタメチル−４−ピペリジル）セバケート（第４頁左下欄第１５〜１７行）
　
　引用文献５
(5a)「本発明は、高い度合いのスカフ（摩擦損傷）耐性又は耐摩耗性を示し高光沢で耐光性のカラートナー画像を作成することに関する。本発明で開示されるようにこのような画像をカラーゼログラフィックコピー機又はプリンタを用いて作成することができる。
　本発明を実行する際に、通常は４つの現像剤ハウジングだけを含んでいるカラー画像作成装置中に５番目の現像剤ハウジングが設けられる。追加のハウジングには、透明なポリマー材料と、紫外線によるカラー画像の劣化を最小化するために紫外線（ＵＶ）を吸収する材料との混合物が入っている。透明ポリマーは、疎水性の性質を示す材料を含んで、液体による損傷に耐性があり、紫外線へ露出によるカラー劣化に耐性があると共に、スカフ又はスクラッチ（引っかき傷）耐性もある画像形成基材が得られる。」（【０００６】、【０００７】）
(5b)　５番目の現像ユニットに含まれる混合物は、透明樹脂トナーとしてのバインダー樹脂、電荷調整剤、表面添加剤、界面活性剤及び光褪色防止剤を含むこと（【００２３】）。
(5c)　光褪色防止材料又は防止剤は、紫外線吸収化合物を含み、光褪色防止剤には、酸化防止剤およびオゾン防止剤が含まれていてもよいこと（【００２４】）。
(5d)　具体的には、バインダー樹脂、界面活性剤、電荷調整剤、紫外線吸収化合物、酸化防止化合物及び酸化防止剤を溶融ブレンドして無色トナーを作成し、シアン、マゼンタ、イエロー及びブラックトナーからなる未定着カラー画像に重ねて転写し、熱定着したこと、及び、それにより得られた画像は、耐水性、耐光性において優れたものであったこと（【００２７】、【００２８】）。
　
３．対比と判断 
　引用文献１には、
　「インクジェットプリンターによって形成された画像に(1b)、耐水性、耐摩耗性を付与するために(1e)、無色のトナー樹脂を用いて静電的にコートするためのトナー(1d)」
　が記載されているものと認められる。
　
　本願発明と、引用文献１に記載された発明とを対比すると、両者は、「トナー樹脂を含んで成り、インクジェットプリント上に無色オーバーコーティングを提供するためのトナー」である点で一致しており、ただ、
　本願発明が、トナーの組成について、トナー樹脂と紫外線吸収体類、遊離基抑制剤類及び熱安定化剤類から成る群から独立して選択される少なくとも２つの添加剤とを含んで成り、前記トナー樹脂の前記添加剤に対する重量比が１：１から９９：１であるであることを規定するのに対して、
　引用文献１に記載された発明のトナーにおいては、トナー樹脂に、紫外線吸収体類、遊離基抑制剤類及び熱安定化剤類よりなる添加剤を含有させることを記載していない点、
　においてのみ相違する。
　
　相違点について検討する。
　一般に、染料を使用したインクジェットインクにより形成された画像は、顔料インクを使用した画像に比較して、耐光性、耐水性が劣ることは、本願明細書でも認識しているとおり、周知の事項である。
　ところで、引用文献３には、インクジェットプリントの表面をラミネート層で被覆することにより、インクジェット画像の耐光性を格段に向上させること(3b，3c，3i)、そのラミネート層には、紫外線吸収剤、光安定化剤を含有させること(3a，3c，3g)、さらに、酸化防止剤を含有させても良いこと(3e)が記載されている。ここで、光安定化剤と称しているものは、本願発明における遊離基抑制剤類に該当し(3k)、また、酸化防止剤は、本願発明でいう熱安定化剤に該当するものである。
　また、引用文献５には、有色トナーを使用して形成されたカラー画像ではあるが、やはり、画像の光褪色防止、すなわち、耐光性の増加を目的として、画像表面上に紫外線吸収剤、酸化防止剤を含有する無色トナー層を被覆することが記載されている(5a〜5d)。
　
　引用文献３において、その光安定化剤を含む層は、記録画像をラジカル等から保護するために記録材の表面すなわち、インクジェットインクによって形成された画像表面に接するように設けることが必須であることが記載されている(3f)。ということは、光安定化剤の働きとして、インクジェット画像を構成する色素との何らかの相互作用を示唆するものであるから、光安定化剤を含んでいる樹脂や、画像被覆層の形成方法の違いによって、その働きの有無が生じるものではありえない。
　また、紫外線吸収剤は、画像に対して有害な紫外線が到達するのを遮断することによって画像の褪色を防止するものであるから、画像の光源側に存在することが要件であり、紫外線吸収剤を分散させるための樹脂の種類や、被覆のさせ方でその作用が失われるものでもない。
　したがって、引用文献３に記載されたラミネート層中に添加する紫外線吸収剤、光安定化剤（遊離基抑制剤類）、酸化防止剤（熱安定化剤）、あるいは、引用文献５に記載された保護層用のトナーに添加する紫外線吸収剤、酸化防止剤（熱安定化剤類）を、引用文献１に記載のインクジェットプリントに対する保護オーバーコート層に適用して添加し、引用文献１のオーバーコート層にさらに耐光性機能を付与することを試みることは、引用文献３、引用文献５の記載に基づいて当業者が容易に想到しえたものである。
　
　さらに、「トナー樹脂の添加剤に対する重量比を１：１から９９：１」の範囲とすることについては、一般に、紫外線吸収剤、光安定化剤、酸化防止剤を樹脂中に混合して使用する際に、通常に採用される範囲を包含しており、当業者が、耐光性の付与程度などを勘案して、適宜容易に設定し、選択することができることである。
　
４．むすび 
　以上のとおり、本願の請求項１に係る発明は、その発明の属する技術の分野における通常の知識を有する者が、引用文献１、３及び５に記載された発明に基づいて容易に発明をすることができたものであるから、特許法第２９条第２項の規定により特許を受けることができないものであり、他の請求項に係る発明について検討するまでもなく、本願は拒絶すべきものである。 
　よって、結論のとおり審決する。